(57)【要約】【課題】筐体にマイク孔とマイクに通じる溝を形成することにより、タッチパネルの破損を防止できる情報処理装置を提供する。【解決手段】情報処理結果を表示する表示部を収納する表示部筺体３を有する情報処理装置であって、表示部筐体３は、タッチ入力を受け付けるタッチパネル５が表示部の外面に固定され、音声入力を受け付けるマイク１３が表示部筐体３の内部に配置され、タッチパネル５からマイク１３まで連続して形成された溝１４を有する。【選択図】図３
2016130992.tif 000002
【特許請求の範囲】
【請求項１】
情報処理結果を表示する表示部を収納する表示部筺体を有する情報処理装置であって、
前記表示部筐体は、
タッチ入力を受け付けるタッチパネルが前記表示部の外面に固定され、
音声入力を受け付けるマイクが該筐体の内部に配置され、
前記タッチパネルから前記マイクまで連続して形成された溝を有することを特徴とする情報処理装置。
【請求項２】
前記溝は、前記タッチパネルを前記表示部の外面に固定する支持部に形成されていることを特徴とする請求項１記載の情報処理装置。
【請求項３】
前記マイクへの音声入力が、前記溝と前記タッチパネルとの間で形成される音声通路を通して行われることを特徴とする請求項１または２記載の情報処理装置。
【請求項４】
前記マイクは、前記タッチパネルの周縁よりも中心寄りに配置されていることを特徴とする請求項１ないし３のいずれか１項に記載の情報処理装置。
【請求項５】
さらに、前記タッチパネルの一辺の中央近傍にカメラを有し、
前記溝は、前記カメラを中心とし前記タッチパネルの一辺に沿って２個形成されていることを特徴とする請求項１ないし４のいずれか１項に記載の情報処理装置。
【発明の詳細な説明】
【技術分野】
【０００１】
本発明は、タッチパネルを備えた情報処理装置に関する。
【背景技術】
【０００２】
近年、タッチパネルを備えたパーソナルコンピュータ（ＰＣ）が普及している。タッチパネルは筐体に設置された液晶モニタの表面に装着される。タッチパネルの材質はガラスが多く使用され、ユーザがタッチパネルを押圧しても、ガラスは平面強度を保つことができる。
【０００３】
また、ＰＣにマイクとカメラとが備えられている。マイクとカメラとは、ＰＣの表示画面の上部または下部に搭載されている。マイクは、ユーザの音声等が入力される。カメラはユーザを認識し、撮影等することができる。
【０００４】
特許文献１には、筐体が、液晶モニタの上部にＣＣＤ（Ｃｈａｒｇｅ  Ｃｏｕｐｌｅｄ  Ｄｅｖｉｃｅ）カメラを備えた情報処理装置が開示されている。
また、情報処理装置はマイクを有し、マイクは音声情報を情報処理装置に入力するデバイスであり、サウンドチップ等により制御される。画像情報を入力するデバイスであるＣＣＤカメラと合わせて一つの部品として構成されてもよい。
【先行技術文献】
【特許文献】
【０００５】
【特許文献１】特開２０１４−８５８９４号公報
【発明の概要】
【発明が解決しようとする課題】
【０００６】
しかし、従来技術では、マイクを設置するため、タッチパネル自身にマイク孔を開けることに伴うガラスのひび割れ、破損による故障、工程歩留まり、加工の手間、強度を有するガラス選択のためのコストがかかるという問題があった。
【０００７】
また、特許文献１に開示されている技術では、タッチパネルを備えたＰＣにマイクとカメラとを設置する機構ではなく、マイク孔をどこに開けるかの記載も無いので、タッチパネル自身に孔を開けることに伴うガラスのひび割れ、破損による故障を防止する課題は解消していない。
【０００８】
本発明は、前記課題を解決するためのものであり、その目的とするところは、筐体にマイク孔とマイクに通じる溝を形成することにより、タッチパネルの破損を防止できる情報処理装置を提供することにある。
【課題を解決するための手段】
【０００９】
かかる目的を達成するために、本発明は、以下の特徴を有する。
【００１０】
本発明に係る情報処理装置は、情報処理結果を表示する表示部を収納する表示部筺体を有する情報処理装置であって、前記表示部筐体は、タッチ入力を受け付けるタッチパネルが前記表示部の外面に固定され、音声入力を受け付けるマイクが該筐体の内部に配置され、前記タッチパネルから前記マイクまで連続して形成された溝を有することを特徴とする。
【発明の効果】
【００１１】
本発明によれば、筐体にマイク孔とマイクに通じる溝を形成することにより、タッチパネルの破損を防止できる。
【図面の簡単な説明】
【００１２】
【図１】本実施形態に係る情報処理装置を示す概略図である。
【図２】本実施形態に係るマイク孔とカメラとを示す拡大図である。
【図３】本実施形態に係るマイク孔と溝とを示す部分断面図である。
【発明を実施するための形態】
【００１３】
以下、本実施形態について図面により詳細に説明する。
【００１４】
図１は、本実施形態に係る情報処理装置１を示す概略図である。図１に示す情報処理装置１は、いわゆるノートパソコンとして構成されている。情報処理装置１は、キーボード４を備えた本体部筐体２と、外面にタッチ入力を受け付けるタッチパネル５を有し、情報処理結果を表示する液晶モニタ６を備えた表示部筐体３とから構成されている。本体部筐体２と表示部筐体３とは、ヒンジ機構によって回動自在に結合している。
【００１５】
図２は、本実施形態に係るマイク孔７とカメラ８とを示す拡大図である。表示部筐体３には、液晶モニタ６の外面にタッチパネル５が装着されている。表示部筐体３の上部でタッチパネル５の上端の直ぐ上にマイク孔７が２個形成されている。タッチパネル５の上端部の中央にカメラ８が設置されている。
【００１６】
カメラ８は、光電変換により入射光を電気信号に変えるタイプのＣＣＤカメラであり、動作に電力を必要とする。また、カメラ８は、いわゆるインカメラであり、情報処理装置１の表示部である液晶モニタ６と同じ側を撮像するカメラである。液晶モニタ６に向き合ったユーザの顔画像を撮像するのに適した位置に配設されており、そのためテレビ電話機能の提供に好適である。なお、カメラはＣＣＤカメラに限定されず、他の種類のカメラであってもよい。
【００１７】
図３は、本実施形態に係るマイク孔７と溝１４とを示す部分断面図である。図３は、図２のＡ−Ａ断面図である。表示部筐体３は、平面から９０度垂直に開いた状態である。
表示部筐体３は、表面側の筐体１１と裏面側の筐体１２とを有し、表面側の筐体１１と裏面側の筐体１２との間に、マイク１３や液晶モニタ６等が収納されている。マイク１３は、カメラ８を中心に左右２箇所に収納されている。マイク１３は、ユーザの音声を入力することができ、音声によるキーワード検索等が可能である。
【００１８】
表面側の筐体１１は、先端に斜面２１が形成され、本体部筐体２と表示部筐体３とを閉じた場合に、指先を斜面２１に接触でき開き易い形状になっている。表面側の筐体１１は、先端の斜面２１からマイク孔７が形成される部分になり、その後方にタッチパネル５の先端を固定する板状の支持部２２が形成されている。
【００１９】
支持部２２の下端面２３は、液晶モニタ６の上端面２４に接している。支持部２２の表面側には、突起２５が形成され、突起２５はタッチパネル５の裏面に接している。支持部２２の表面とタッチパネル５の裏面との間に隙間ができている。支持部２２の裏面側にはマイク１３が設置され、マイク１３は表示部筐体３の内部に内蔵されている電子基板に接続されている。マイク１３は、タッチパネル５の周縁よりも中心寄りに配置されている。
なお、支持部２２に突起２５が形成されず、支持部２２の表面の全面がタッチパネル５の裏面に直接接していてもよい。
【００２０】
タッチパネル５の左右の端部は、表示部筐体３の左右の内側面２６に接している。タッチパネル５は、液晶モニタ６の表面側に設置されている。タッチパネル５の材質はガラスである。なお、タッチパネル５の材質はガラスではなく、ＰＥＴ樹脂等の樹脂であってもよい。
【００２１】
タッチパネル５の上端の中央に穴が形成され、穴にカメラ８の先端の一部が埋め込まれている。カメラ８は表示部筐体３の内部に内蔵されている電子基板に接続されている。
なお、カメラ８の先端の一部はタッチパネル５に形成された穴に埋め込まれるのではなく、タッチパネル５より内側の表示部筐体３の内部に設置されていてもよい。
【００２２】
カメラ８を中心に左右の位置で、カメラ８より少し上の高さにマイク孔７が２箇所形成されている。マイク孔７は、表面側の筐体１１とタッチパネル５先端との境目の直ぐ上で、表面側の筐体１１に長方形形状で形成されている。
【００２３】
表面側の筐体１１には、表面側の筐体１１とタッチパネル５先端との境目からタッチパネル５の裏側に板状の支持部２２が形成されている。支持部２２は、タッチパネル５を液晶モニタ６の外面に固定する。表面側の筐体１１に形成されたマイク孔７から表面側の筐体１１と支持部２２とに、溝１４がカメラ８を中心とし、タッチパネル５の一辺に沿って２個形成されている。
【００２４】
溝１４は、表面側の筐体１１と支持部２２とに水平方向の通路３１が形成されている。また、溝１４は支持部２２の突き当たりの面から下方向に、通路３２がタッチパネル５とマイク１３との間の支持部２２に形成されている。
【００２５】
さらに、溝１４は筐体１１の支持部２２の突き当たり面から水平方向に通路３３がマイク１３の中央付近の支持部２２に形成され、マイク１３に到達する形状である。溝１４の横幅は、マイク孔の横幅と等しいかそれ以上の長さである。
【００２６】
ここで、溝１４は通路３２を形成せず、直線方向に真っ直ぐの形状にした場合、溝１４にマイク１３の中心付近を合わせるため、マイク１３を上方に移動させる必要がある。この場合、筐体１１と筐体１２とを固定させるフック部材３４を上方に設置させることになり、筐体１１，１２の上端部が広くなってしまうという問題がある。
【００２７】
なお、溝１４の形状は、本実施形態に限定されず、マイク孔からマイクに繋がって筐体１１または支持部２２に形成されていれば、他の形状であってもよい。ユーザの音声等は、マイク孔７から溝１４を通ってマイク１３に入力される。
【００２８】
本実施形態によれば、筐体にマイク孔とマイクに通じる溝を形成することにより、タッチパネルの破損を防止できる。
【００２９】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００３０】
１    情報処理装置
２    本体部筐体
３    表示部筐体
４    キーボード
５    タッチパネル
６    液晶モニタ
７    マイク孔
８    カメラ
１１    表面側の筐体
１２    裏面側の筐体
１３    マイク
１４    溝
２２    支持部
【図１】
2016130992.tif 000003
【図２】
2016130992.tif 000004
【図３】
2016130992.tif 000005